(57)【要約】【課題】  本発明は、携帯電話機において、自分の顔、身なりを確認したり、身繕いをするための化粧用コンパクト、更には鏡面を備えた携帯電話機を課題とする。【解決手段】  携帯電話機の主画面の裏面側に化粧用コンパクト、更には電池カバー表面に鏡面が備えられていることを特徴とする携帯電話機であり、特に、女性にとって有用な携帯電話機である。上記鏡面は、平面鏡、凹面鏡面、又は凸面鏡面とすることができる。【選択図】  図１
2005117248.tif 000002
【特許請求の範囲】
【請求項１】
携帯電話機の枠体の一部に化粧具が備えられていることを特徴とする携帯電話機。
【請求項２】
前記化粧具は、化粧用コンパクトであることを特徴とする請求項１に記載された携帯電話機。
【請求項３】
前記化粧用コンパクトは、ファンデーションとパフ、アイシャドウ、練り口紅のいずれか１以上を備えていることを特徴とする請求項１又は２に記載の携帯電話機。
【請求項４】
前記化粧用コンパクトは、その蓋の裏面に化粧用の鏡面を備えていることを特徴とする請求項１から３のいずれかに記載された携帯電話機。
【請求項５】
前記化粧用コンパクトは、携帯電話機の主画面の裏側に配置されていることを特徴とする請求項１から４のいずれかに記載された携帯電話機。
【請求項６】
前記化粧具として、更に口紅スティックを備えていることを特徴とする請求項１から５のいずれかに記載の携帯電話機。
【請求項７】
前記口紅スティックは、折りたたみ式携帯電話のヒンジ部に入出可能に備えられていることを特徴とする請求項６に記載された携帯電話機。
【請求項８】
前記口紅スティックは、一体式携帯電話機の主画面と操作ボタン部との中間に入出可能に備えられていることを特徴とする請求項６に記載された携帯電話機。
【請求項９】
更に、前記携帯電話機の電池カバーの表面に化粧用鏡面を備えたことを特徴とする請求項１から８のいずれかに記載の携帯電話機。
【発明の詳細な説明】
【技術分野】
【０００１】
本発明は化粧具を備えた携帯電話機に関する。
【背景技術】
【０００２】
従来の携帯電話機には、一体型のもの、中間で折りたたむものがある。通常いずれの場合にも操作ボタンのある面の裏側に電池カバーがある。最近カメラ付きの携帯電話機が開発されている。図６には１例としてカメラ付き折りたたみ式携帯電話機１を開いた状態の表面側の例を示す。図７には、この開いた電話機の裏側を示す。
【０００３】
図６において、携帯電話機１の上枠体２の内部には主表示画面３を作動する電気回路（図示しない）を内蔵し、電話番号、メール等を表示する主表示画面３と、アンテナ８を備える。上枠体２はヒンジ７により下枠体４に連結されている。下枠体４の内部には操作ボタン５に関連する電気回路（図示しない）を内蔵し、表面側には各種操作ボタン５が配設されている。操作ボタン５は０から９の操作ボタンと「マナー」、「クリア」、「メモ」等のボタンを含む。
【０００４】
その他、電話を接続するボタン５１、電源をオンオフするボタン５２、メール着信ボタン５３、カメラ作動ボタン５４、その他所定の機能を起動させるボタン５５等を備える。
【０００５】
開いた電話機の裏面を示す図７において、上枠体２の上端側にはカメラ９が、そして中間部には省電力のための日付け、時間等を表示する小形の表示画面１０が配設されている。この表示画面１０は、時間、メールの着信、日付等を示すが、あまり利用されていないのが現状である。下枠体４の裏面側（操作ボタンのある側の反対側）には、枠体面４０と偏平な電池（図示しない）を覆う電池カバー６が配設されている。この電池カバー６の表面にはカバーを開くための爪部６０を備える。通常、電池カバー６の表面は、上記爪部を除くと全くの無地であり、何らの機能を備えていない。
【特許文献１】実用新案登録第３０９６０３２号公報
【発明の開示】
【発明が解決しようとする課題】
【０００６】
ところで、特に女性にとっては、携帯電話機も業務と各種連絡のために重要な器具であるが、同時に化粧具も身の回り品として必須の用具である。そこで、携帯電話機に化粧具が備えられていれば女性にとってきわめて便利である。
【０００７】
他方、携帯電話機は電気回路の小型化により厚さ数ミリとなってきたので、この携帯電話機にいわゆる厚さ数ミリの化粧用コンパクトが備えることが可能になっている。
【０００８】
また、特にカメラ付き携帯電話機の場合には、カメラ側を被写体、例えば人に向け、操作者は主画面３で画像を確認する。被写体が特に女性の場合には、自分の顔、身なりを確認したり、身繕いをしたいとの希望がある。男性にとってもある程度身繕いをしたいとの希望がある。しかし、身近に自分の身なりを確認する鏡面がなく、画像を取られた後から後悔することが多い。
【０００９】
他方、携帯電話機の電池カバーの表面には、全く無地であり何らの模様も施されていない。そこで、この表面に鏡面があれば、人物画像を撮影する場合化粧直し、又は身繕いをするため極めて便利である。  
【課題を解決するための手段】
【００１０】
発明者は上記の問題点を種々検討し、下記の発明をするに至った。
発明の第１の態様は、携帯電話機の枠体の一部に化粧具が備えられていることを特徴とする携帯電話機である。
【００１１】
発明の第２の態様は、前記化粧具は、化粧用コンパクトであることを特徴とする請求項１に記載された携帯電話機である。
【００１２】
発明の第３の態様は、前記化粧用コンパクトは、ファンデーションとパフ、アイシャドウ、練り口紅のいずれか１以上を備えていることを特徴とする携帯電話機である。
【００１３】
発明の第４の態様は、前記化粧用コンパクトは、その蓋の裏面に化粧用の鏡面を備えていることを特徴とする携帯電話機である。
【００１４】
発明の第５の態様は、前記化粧用コンパクトは、携帯電話機の主画面の裏側に配置されていることを特徴とする携帯電話機である。
【００１５】
発明の第６の態様は、前記化粧具として、更に口紅スティックを備えていることを特徴とする携帯電話機である。
【００１６】
発明の第７の態様は、前記口紅スティックは、折りたたみ式携帯電話のヒンジ部に入出可能に備えられていることを特徴とする携帯電話機である。
【００１７】
発明の第８の態様は、前記口紅スティックは、一体式携帯電話機の主画面と操作ボタン部との中間に入出可能に備えられていることを特徴とする携帯電話機である。
【００１８】
発明の第９の態様は、更に、前記携帯電話機の電池カバーの表面に化粧用鏡面を備えたことを特徴とする携帯電話機である。
【発明の効果】
【００１９】
本発明に係る携帯電話機は、特に女性にとっては便利である。即ち、携帯電話機は仕事、または各種の連絡のために必要であるが、これに化粧具が備えられていると、いつでも身づくろいができ、別に化粧具を用意しなくともよいという便利さがある。更に、カメラ付携帯電話機において、鏡面があるので、写真を撮る際に身づくろいができる便利さがある。
【発明を実施するための最良の形態】
【００２０】
発明の具体的実施態様を図１から図５により説明する。図１は、カメラ付き折りたたみ式携帯電話機の開いた裏面側を示し、図２はコンパクトの蓋を閉じた携帯電話機の側面側を示す。従来の携帯電話機の開いた面の各部の機能に付いては図６、図７において説明した通りであり、省略する。
【００２１】
本発明においては、従来の携帯電話機の主画面の裏面に備えられており、あまり利用されていない小画面（図７の示す小画面１０）を省略し、裏面を利用して、ここに化粧用コンパクト１００を備える。このコンパクトは、下側の例えば四角の枠９４と蓋９１を備える。この枠は、楕円状でもよい。蓋９１は、例えばアンテナ８を収納する収納筒８６の周りで回転できるようにヒンジ９３を備え、前記収納筒８６を軸として回転し、下側の枠９４をカバーできる。なお、本願発明においては前記小画面を省略しているが、所望する場合には、例えば点線で示す場所の小画面１０の設けることも可能である。
【００２２】
図１においては、蓋９１はアンテナ８を収容する円筒体８６をヒンジとして開閉できるが、アンテナが下枠体４に配置されている場合には、上記アンテナ８の円筒体を利用できない。この場合にはヒンジのために軸を長手方向でも、またその直角方向に設け、例えば図１におけるＡ又はＢの箇所に設けることも可能である。
【００２３】
望ましくは、前記コンパクトの蓋９１をコンパクトの下側の枠９４に固定するための爪部９７と、この爪部９７を固定する溝９８を備える。また、蓋９１に内側には化粧のための鏡面９２を備えることが化粧のために望ましい。この鏡面は、前記蓋の面にアルミニウムめっきしたもの又はアルミニウム箔を貼りつけたものでもよい。
【００２４】
前記コンパクトの下側の枠９４は、例えば３から５ｍｍ程度の壁で構成され、この内部に図示するようなファンデーション９５と、ファンデーションを使用するためのパフ９６を備える。化粧用剤としては、ファンデーションとともに、又はこれに代わり、練り口紅、あるいはアイシャドウを収納してもよい。望ましくは、これらの化粧材は練り状のものが望ましい。粉状の化粧材は飛散しやすいからである。
【００２５】
更に、化粧材として、口紅スティックを備えることが望ましい。口紅は比較的多数回利用されるためである。携帯電話機の上枠体２と下枠体４は、折りたたみ式携帯電話機の場合にはヒンジ７で連結されている。このヒンジ７は、例えば図１では５分割され、両端の部分７１、７３、７５は下枠体４と一体になっており、中間の部分７２、７４は上枠体に一体として構成されている。
【００２６】
通常、上枠体と下枠体との間を電気的に結合するため、部分７２から部分７３にの内部は空洞になっており、電気配線を埋め込んだプラスティックテープがらせん状に配置されている。従って、内部は空洞になっている。また、部分７４、の部分も空洞になっており、両端の部分７１と７５には通常軸が挿入されており、回転を
可能としている。
【００２７】
従って、そこで、本願発明においては、例えばヒンジの部分７１には従来のシャフト軸を挿入し、他の部分７５には中空のシャフトを配置する。この部分に図示した口紅スティック８０を挿入可能とする。この口紅スティック８０は、中心の棒状の口紅８４はシャフト８３の中に収用され、雄ねじ部８２と手回し部８１を備える。口紅スティックを収納する場合には、雄ねじ部８２を上記中空シャフトの雌ねじ部（図示しない）に篏合させる。口紅を使用する場合には、上記回転が容易な溝つき手回し部８１でねじを回して、口紅を引き出す。
【００２８】
一体式の携帯電話機においては、ヒンジがないので、電話機の中間に同様な構造で口紅スティックを入出可能に設ければよい。
【００２９】
更に、特にカメラ付き携帯電話機である場合には、カメラで自分又は他人等の画像を撮影する場合が多い。この場合、人は化粧直しをしたり、身繕いをしたいとの希望がある。そこで、鏡面が必要になる。携帯電話機に鏡面があれば便利である。
【００３０】
図３に示すように、従来の携帯電話機の裏面の電池カバー６には、カバーを開ける爪６０しか備えていない。本発明にかかる携帯電話機では、この電池カバーの表面の一部又は全面に鏡面を備える。電池カバーは、例えば２５×３５ｍｍから４０×６０ｍｍ程度の面積があるので、その一部又は全面を鏡面とすれば、人が化粧直しをしたり、身繕いをすることができる。
【００３１】
鏡面は、ある程度の大きさがあることが望ましいので、電池カバーの外面に配設することが望ましい。この鏡面は、通常平面鏡面であればよいが、電池カバーの面積が小さい場合には、顔全体を観察するために、対象物を縮小して見せる凸面鏡面とすることが望ましい。更には、顔の特定の部分、例えば睫毛のみを観察した場合もあるので、このような場合には、全体又は部分的にその部分を拡大できる凹面鏡面とすることも望ましい。即ち、例えば、中間部は平面鏡面とし、部分的に凸面鏡面と凹面鏡面を組み合わせてもよい。
【００３２】
図３は、電池カバーのかなりの部分を略４角形の鏡面７０で構成した態様を示す。鏡面はなるべくは大きい面積であることが望ましいからである。
電池カバーの長手方向断面のA−A方向矢視図を図４に示す。通常電池カバー６は，他の部分と同様にプラスチック材で構成されている。
【００３３】
図４において、左側の先端係合部６２は電池ケース４０（図７参照）と係合する突起部で、また表面に電池カバーを開くための爪部６０を備える。また、カバーの側面を電池ケース４０の側面側に係合する側面係合部６３と６４を備え、更に、カバーの右側の端部には端部係合部６５を備え、この端部係合部６５が電池カバーの他の端部（図４の右側）を充電用電池ケースに固定する。
【００３４】
図５には、鏡面の他の形状を示す。鏡面を利用するのは特に女性が多いので、鏡面の形状をハート型７０にしたものである。鏡面の形状としては特に限定されず、円形、三角形、台形等でもよい。ある程度の面積があり、顔、身なり等が映ればよい。
【００３５】
鏡面は、プラスチック板の面にクロームめっき、アルミニウムめっき、又は銀めっきのいずれかにより作成することができる。鏡面は露出しているので、場合によりその表面に傷が形成されることがある。この場合には、新しい鏡面のある電池カバーと交換すればよい。従って、電池カバーのみを独立して販売されることが望ましい。
【００３６】
以上説明した通り、本発明に係る携帯電話機、特にカメラ付き電話機は化粧用コンパクトと、更には鏡面を備えているので、化粧用コンパクトを備えるので、持ち運びに便利であり、また、人物画像を録画する場合には化粧直し、身繕いができる等の便利さがある。特に、女性用の携帯電話機として便利に利用される。鏡面に傷が形成された場合には、新しい鏡面付き電池カバーと交換ができるので、便利である。
【図面の簡単な説明】
【００３７】
【図１】本発明に係るコンパクトを備えた携帯電話機を示す斜視図である。
【図２】図１に示す携帯電話機の側面図である。
【図３】本発明に係る携帯電話機の鏡面付き電池カバーの１例を示す図である。
【図４】図３に示す鏡面付き電池カバーの長手方向の断面のA―A方向矢視図である。
【図５】鏡面付き電池カバーの他の例を示す図である。
【図６】従来のカメラつき携帯電話機を開いた内側状態を示す斜視図である。
【図７】上記従来のカメラつき携帯電話機の表側の例を示す図である。
【符号の説明】
【００３８】
１  携帯電話機    ２  上枠体    
３  主表示画面    ４  下枠体
５  ５１、５２、５３、５４、５５、５６  操作ボタン
６  電池カバー  
７  ヒンジ        ８  アンテナ
９  カメラ      １０  小形画面
４０  電池ケース  
６０  爪部、６２  先端係合部、
６３、６４  側面係合部、６５  端部係合部
７０  鏡面
７１、７２、７３、７４、７５  ヒンジの部分
８０  口紅スティック
８１  口紅スティックの手回し部
８２  雄ねじ
８３  口紅スティックを収容する円筒部
８４  口紅スティック
８６  アンテナ用収納筒
９１  コンパクトの蓋
９２  コンパクト内の鏡面
９３  コンパクト蓋のヒンジ部
９４  コンパクトの枠
９５  ファンデーション
９６  ファンデーションのパフ
９７  コンパクトの蓋の開閉用爪
９８  コンパクトの蓋の開閉用溝
１００  コンパクト
【図１】
2005117248.tif 000003
【図２】
2005117248.tif 000004
【図３】
2005117248.tif 000005
【図４】
2005117248.tif 000006
【図５】
2005117248.tif 000007
【図６】
2005117248.tif 000008
【図７】
2005117248.tif 000009